【手続補正書】
【提出日】平成15年12月11日(2003.12.11)
【手続補正１】
【補正対象書類名】明細書
【補正対象項目名】全文
【補正方法】変更
【補正の内容】
【発明の名称】逆流防止弁の排水部集水構造
【特許請求の範囲】
【請求項１】配管途中に設置し、液体の逆流を防ぐ排水機構を具備する逆流防止弁の排水口に所定容積の吐水空間を有する連結部材を設け、該連結部材の底部に受水部を有する排水管を設けた構造の逆流防止弁の排水部集水構造であって、
前記逆流防止弁の排水口に前記吐水空間に突出し、該排水口から吐き出される水の飛散を防止する止水板を設けたことを特徴とする逆流防止弁の排水部集水構造。
【請求項２】請求項１に記載の逆流防止弁の排水部集水構造において、
前記止水板は前記逆流防止弁の排水口の周囲を取り囲むように取り付けたことを特徴とする逆流防止弁の排水部集水構造。
【請求項３】配管途中に設置し、液体の逆流を防ぐ排水機構を具備する逆流防止弁の排水口に所定容積の吐水空間を有する連結部材を設け、該連結部材の底部に受水部を有する排水管を設けた構造の逆流防止弁の排水部集水構造であって、
前記逆流防止弁の排水口と前記連結部材の間に該排水口から吐き出される水の流れを整流する所定長さの連結管を取り付けたことを特徴とする逆流防止弁の排水部集水構造。
【請求項４】請求項３に記載の逆流防止弁の排水部集水構造において、
前記逆流防止弁の排水口と前記連結部材の間に設けた連結管の排水口の断面積を該連結管の断面積より小さくしたことを特徴とする逆流防止弁の排水部集水構造。
【発明の詳細な説明】
【０００１】
【発明の属する技術分野】
本発明は配管途中に設置した逆流防止弁の排水口から吐き出される水を確実に集めることができる逆流防止弁の排水部集水構造に関するものである。
【０００２】
【従来の技術】
共同住宅、学校、ホテル等の水道本管水圧では給水圧力が不足する建物への給水には、該水道本管と建物内の配管を給水管によって連結し、加圧給水するポンプ装置で加圧して給水する方法が採用されることが多い。この場合、給水ポンプ装置の上流又は下流側の配管の途中に逆流防止弁を設置し、建物内の配管の水が水道本管に逆流しないようにしている。
【０００３】
図５はこの種の逆流防止弁の構造例を示す図である。図示するように、逆流防止弁１０は、ばね１１、１２の力で弁体をシール材を介して弁座１３、１４に押し付ける構造の第１及び第２逆止弁１５、１６を直列に配置し、且つその間に中間室１７を設けた構造である。１次側Ａと中間室１７の間にはダイヤフラム１８とそれに連動する逃し弁１９が設けてある。該逆流防止弁１０の前後で逆圧が生じても、第１及び第２逆止弁１５、１６の逆流防止機能により逆流は生じない。
【０００４】
また、通常の使用状態では、１次側Ａの水圧は中間室１７の水圧より高く、ダイヤフラム１８がばね２０に押し勝って逃し弁１９を閉じるため、漏水することはない。１次側Ａの水圧が低くなり、且つ第１逆止弁１５にごみが挟まり閉止しない場合、或いは２次側Ｂの水圧が高くなり、且つ第２逆止弁１６にごみが挟まり閉止しない場合等、１次側Ａの水圧と中間室１７の水圧が均衡したときには、ばね２０がダイヤフラム１８に押し勝って、逃し弁１９を開けることにより中間室１７又は２次側Ｂの水を外部に排出する。つまり、逆流防止弁１０は、逆圧が発生し、更に第１及び第２逆止弁１５、１６が故障しても２次側Ｂの水が１次側Ａに逆流することを防止できるもので、吐水口空間に匹敵する逆流防止機能を有している。
【０００５】
上記構造の逆流防止弁１０では、排水口２１から汚濁水等の異物が入らないように排水口２１と排水を受け入れる排水管の間に一定の空間（吐水口空間）が必要である。吐水口空間には規定があり、例えば口径が２５ｍｍの時は５５ｍｍ以上、３２ｍｍの時は６５ｍｍ以上、４０ｍｍの時は７５ｍｍ以上、５０ｍｍの時は９０ｍｍ以上と決められている。
【０００６】
【発明が解決しようとする課題】
上記構造の逆流防止弁１０には、図６に示すように、排水口２１と排水管２の間に吐水口空間を有する連結部材３を設置するのが一般的であるが、排水口２１内には排水を司る逃し弁１９等が設置され、排水が複雑なうえ、圧力水が排出される場合があり、吐き出された水は真下に流れず連結部材３の吐水口空間から外に飛散する場合が多い。
【０００７】
また、図７に示すように、排水口２１から吐き出される水の飛散を防止するため、排水管２の受水部４の径を大きくする方法もあるが、連結部材３を伝って流れる水の飛散を防止するには十分でない。
【０００８】
また、逆流防止弁１０、連結部材３、排水管２等をポンプ装置に内蔵する場合は、ポンプ装置が肥大化しコンパクト性に欠ける場合が生じる。
【０００９】
また、連結部材３を設置しないで排水口２１と排水管２を独立させることも考えられるが、受水部４を含む排水管２の固定が独自に必要となり、逆流防止弁１０を自由な位置に設置することが規制される。
【００１０】
本発明は上述の点に鑑みてなされたもので、配管途中に設置した逆流防止弁から排水された水を確実に集水すると共に、各構成部を最小限の大きさにとどめ配管設備のコンパクト性に配慮した逆流防止弁の排水部集水構造を提供することを目的とする。
【００１１】
【課題を解決するための手段】
上記課題を解決するため請求項１に記載の発明は、配管途中に設置し、液体の逆流を防ぐ排水機構を具備する逆流防止弁の排水口に所定容積の吐水空間を有する連結部材を設け、該連結部材の底部に受水部を有する排水管を設けた構造の逆流防止弁の排水部集水構造であって、逆流防止弁の排水口に吐水空間に突出し、該排水口から吐き出される水の飛散を防止する止水板を設けたことを特徴とする。
【００１２】
また、請求項２に記載の発明は、請求項１に記載の逆流防止弁の排水部集水構造において、止水板は逆流防止弁の排水口の周囲を取り囲むように取り付けたことを特徴とする。
【００１３】
また、請求項３に記載の発明は、配管途中に設置し、液体の逆流を防ぐ排水機構を具備する逆流防止弁の排水口に所定容積の吐水空間を有する連結部材を設け、該連結部材の底部に受水部を有する排水管を設けた構造の逆流防止弁の排水部集水構造であって、逆流防止弁の排水口と連結部材の間に該排水口から吐き出される水の流れを整流する所定長さの連結管を取り付けたことを特徴とする。
【００１４】
また、請求項４に記載の発明は、請求項３に記載の逆流防止弁の排水部集水構造において、逆流防止弁の排水口と連結部材の間に設けた連結管の排水口の断面積を該連結管の断面積より小さくしたことを特徴とする。
【００１５】
【発明の実施の形態】
以下、本発明の実施の形態例を図面に基づいて説明する。図１は本発明の逆流防止弁の排水部集水構造例を示す図である。逆流防止弁１０は内部構造が、図５に示す逆流防止弁１０で配管１の途中に設置されている。該逆流防止弁１０の排水口２１に連結部材３を介して排水管２の受水部４が接続されている。該受水部４は逆流防止弁１０の排水口２１から直接飛散する水を集水するのに適切な大きさを有し、連結部材３には所定容積の吐水口空間が設けられている。
【００１６】
また、排水口２１から吐き出された水が受水部４の外へ飛散しないように止水板５がその先端が連結部材３の吐水口空間に突出して設けられている。該止水板５は図２に示すように、排水口２１を取り囲むように設置している。このように止水板５を設けることにより、排水口２１から吐き出された水は該止水板５の端面で下部へ落下し、連結部材３を経由して外部へは飛散しない。これにより、排水管２の上端に設けられる受水部４の径を最小限の大きさに留めることが可能となる。なお、図２は図１のＡ−Ａ断面矢視図である。
【００１７】
図３は本発明の逆流防止弁の排水部集水構造例を示す図である。本排水部集水構造は、逆流防止弁１０と連結部材３の間に所定長さの連結管６を設けている。ここで、逆流防止弁１０の排水口２１の径より連結管６の排水口７の径が大きくなっている。連結管６の排水口７から吐き出された水が受水部４の外へ飛散しないように止水板５がその先端が連結部材３の吐水口空間に突出して設けられている。
【００１８】
逆流防止弁の排水部集水構造を上記のように構成することにより、流路が複雑な逆流防止弁１０の排水口２１から出た排水は連結管６により整流され、排水口７より略真下に落下する。これにより排水管２の上端に設ける受水部４の径を更に小さくすることが可能となる。
【００１９】
図４は本発明の逆流防止弁の排水部集水構造例を示す図である。本排水部集水構造は、図示するように連結管６の排水口７の径を該連結管６の断面積より小さくすることにより、該排水口７から吐き出される水の飛散面積を更に制限している。このように連結管６の排水口７を小さくすることにより、排水管２の上端に設ける受水部４の径を更に小さくすることが可能となる。
【００２０】
【発明の効果】
以上説明したように各請求項に記載の発明によれば、下記のような優れた効果が得られる。
【００２１】
請求項１又は２に記載の発明によれば、逆流防止弁の排水口に吐水空間に突出する止水板を設けたので、排水口から吐き出される水の飛散が防止され、該水は該止水板の端面で下部へ落下し、水を受水部で確実に集水できると共に、排水管の上端に設けられる受水部の径を最小限の大きさに留めることができ、排水部集水構造を小型化することができる。
【００２２】
請求項３に記載の発明によれば、逆流防止弁の排水口と連結部材の間に所定長さの連結管を取り付けので、流路が複雑な逆流防止弁の排水口から吐き出された水は連結管により整流され、該連結管の排水口より略真下に落下し、水を受水部で確実に集水できると共に、排水管の上端に設けられる受水部の径を最小限の大きさに留めることができ、排水部集水構造を小型化することができる。
【００２３】
請求項４に記載の発明によれば、逆流防止弁の排水口と連結部材の間に設けた連結管の排水口の断面積は該連結管の断面積より小さくしたので、該連結管の排水口から吐き出される水の飛散面積は更に制限され、水を受水部で確実に集水できると共に、排水管の上端に設けられる受水部の径を最小限の大きさに留めることができ、排水部集水構造を小型化することができる。
【図面の簡単な説明】
【図１】本発明の逆流防止弁の排水部集水構造例を示す図である。
【図２】図１のＡ−Ａ断面矢視図である。
【図３】本発明の逆流防止弁の排水部集水構造例を示す図である。
【図４】本発明の逆流防止弁の排水部集水構造例を示す図である。
【図５】逆流防止弁の構造例を示す図である。
【図６】従来の逆流防止弁の排水部集水構造例を示す図である。
【図７】従来の逆流防止弁の排水部集水構造例を示す図である。
【符号の説明】
１            配管
２            排水管
３            連結部材
４            受水部
５            止水板
６            連結管
７            排水口
１０          逆流防止弁
１１          ばね
１２          ばね
１３          弁座
１４          弁座
１５          第１逆止弁
１６          第２逆止弁
１７          中間室
１８          ダイヤフラム
１９          逃し弁
２０          ばね
２１          排水口